(57)【要約】【課題】  現在の自車の状態を容易に楽しく視認できるナビゲーション装置を提供することである。【解決手段】  ナビゲーション装置１０は、自車の現在位置を示す自動車の画像と、背景となる現在位置周辺の地図情報や周辺情報とを重ねて表示部１３に表示し、ＥＣＵ２０等から自車の現在の状態を自車情報として取り込み、自動車の画像に自車情報を反映させる構成とする。【選択図】        図１
2005283251.tif 000002
【特許請求の範囲】
【請求項１】
車両に載置され、自動車の画像を現在位置を示す印として現在位置周辺の地図情報に重畳して表示する表示手段を備えたナビゲーション装置において、
該ナビゲーション装置が載置された自動車の現在の動作状態を自車情報として出力する情報出力手段を備え、
前記表示手段は、前記情報出力手段から出力された前記自車情報に基づいて前記自車情報を反映させた自動車の画像を表示することを特徴とするナビゲーション装置。
【請求項２】
前記自車情報は方向指示器の情報であり、前記表示手段は、方向指示器の動作に連動して前記自動車の画像の方向指示器部分を点滅させた画像を表示することを特徴とする請求項１記載のナビゲーション装置。
【請求項３】
前記自車情報はヘッドライト又はテールランプの情報であり、前記表示手段は、ヘッドライト又はテールランプの点灯に連動して前記自動車の画像のヘッドライト及びテールランプ部分を点灯させた画像を表示することを特徴とする請求項１記載のナビゲーション装置。
【請求項４】
前記自車情報はストップランプの情報であり、前記表示手段は、ストップランプの点灯に連動して前記自動車の画像のストップランプ部分を点灯させた画像を表示することを特徴とする請求項１記載のナビゲーション装置。
【請求項５】
前記自車情報はバックランプの情報であり、前記表示手段は、バックランプの点灯に連動して前記自動車の画像のバックランプ部分を点灯させた画像を表示することを特徴とする請求項１記載のナビゲーション装置。
【請求項６】
前記自車情報は車速の情報であり、前記表示手段は、車速に応じて走行中を表わす前記自動車の画像を表示することを特徴とする請求項１記載のナビゲーション装置。
【請求項７】
前記自車情報はパーキングブレーキの情報であり、前記表示手段は、パーキングブレーキの動作に連動して休憩中を表わす前記自動車の画像を表示することを特徴とする請求項１記載のナビゲーション装置。
【発明の詳細な説明】
【技術分野】
【０００１】
本発明は、現在位置の表示画像と、現在位置周辺の地図情報や周辺情報とを重ねて表示するナビゲーション装置に関するものである。
【背景技術】
【０００２】
通常、ナビゲーション装置の画面には、地図情報や周辺情報と現在位置とが重ねて表示される。そのとき現在位置の表示画像としては、一般的に矢印画像が用いられる。そして、画像の配色としては、現在位置が赤色、道路が灰色、文字が黒色で表示されるのが一般的である。また、現在位置の表示画像にキャラクター等の画像を用いたナビゲーション装置もある。
【０００３】
例えば特許文献１には、現在位置の表示画像が自動車の画像であり、その色を変えることができるナビゲーション装置が開示されている。
【特許文献１】特開２００２−２６７４８０号公報
【発明の開示】
【発明が解決しようとする課題】
【０００４】
しかしながら、特許文献１には自動車の画像の色を変更できること以外に自動車の画像が変化することについては記載されていない。つまり、自動車の画像を用いて他の情報を表示する機能についての記載はない。
【０００５】
本発明は、現在の自車の状態を容易に楽しく視認できるナビゲーション装置を提供することを目的とする。
【課題を解決するための手段】
【０００６】
上記目的を達成するために本発明は、車両に載置され、自動車の画像を現在位置を示す印として現在位置周辺の地図情報に重畳して表示する表示手段を備えたナビゲーション装置において、該ナビゲーション装置が載置された自動車の現在の動作状態を自車情報として出力する情報出力手段を備え、前記表示手段は、前記情報出力手段から出力された前記自車情報に基づいて前記自車情報を反映させた自動車の画像を表示することを特徴とする。
【０００７】
なお、前記自車情報は方向指示器の情報であり、前記表示手段は、方向指示器の動作に連動して前記自動車の画像の方向指示器部分を点滅させた画像を表示することを特徴とする。
【０００８】
また、前記自車情報はヘッドライト又はテールランプの情報であり、前記表示手段は、ヘッドライト又はテールランプの点灯に連動して前記自動車の画像のヘッドライト及びテールランプ部分を点灯させた画像を表示することを特徴とする。
【０００９】
また、前記自車情報はストップランプの情報であり、前記表示手段は、ストップランプの点灯に連動して前記自動車の画像のストップランプ部分を点灯させた画像を表示することを特徴とする。
【００１０】
また、前記自車情報はバックランプの情報であり、前記表示手段は、バックランプの点灯に連動して前記自動車の画像のバックランプ部分を点灯させた画像を表示することを特徴とする。
【００１１】
また、前記自車情報は車速の情報であり、前記表示手段は、車速に応じて走行中を表わす前記自動車の画像を表示することを特徴とする。
【００１２】
また、前記自車情報はパーキングブレーキの情報であり、前記表示手段は、パーキングブレーキの動作に連動して休憩中を表わす前記自動車の画像を表示することを特徴とする。
【発明の効果】
【００１３】
本発明によれば、現在位置を示す自動車の画像に自車情報を反映させることにより、現在の自車の状態が確認できるとともに、見た目にも楽しいナビゲーション装置を提供することができる。
【発明を実施するための最良の形態】
【００１４】
図１は、ナビゲーション装置１０の要部の構成を示すブロック図である。１１はマイクロコンピュータ等で構成された制御回路であり、ＲＯＭ１２に書き込まれたプログラムに基づいてナビゲーション装置１０を制御し、液晶の表示部１３に地図情報や周辺情報を表示する。また制御回路１１は搭載された車のＥＣＵ（Electrical Control Unit）２０に接続され、情報を取り込む。１４はＲＡＭであり、制御回路１１の動作に必要な情報を記憶する。なおＲＡＭ１４は、他に、着脱可能な外部記憶媒体を用いてもよい。
【００１５】
１５はＧＰＳ（Global Positioning System）測位部であり、ＧＰＳ衛星からの電波を受信して現在位置を測定し、測定データを制御回路１１に与える。１６は記憶媒体再生部であり、地図情報、周辺情報、現在位置の表示画像等を記憶したＣＤ−ＲＯＭ、ＤＶＤ−ＲＯＭ等の記憶媒体を再生してその情報を制御回路１１に与える。１７は操作部であり、表示部１３に表示する現在位置の表示画像の種類をユーザーが所望の画像に変更できる画像設定キー１７ａを有する。
【００１６】
なお、現在位置の表示画像は、一般的な矢印画像の他に自動車の画像を選択することができる。また操作部１７は、図１ではキー操作による入力方法としているが、タッチパネル方式とすることも可能である。
【００１７】
このナビゲーション装置１０が起動すると、制御回路１１が記憶媒体再生部１６にセットされた記憶媒体から地図情報や周辺情報を読み出すとともに、それらの情報にＧＰＳ測位部１５により測定した現在位置を重ねて表示部１３に表示する。そして、現在位置の移動とともに記憶媒体から新たに地図情報や周辺情報を読み出し、情報が途切れないように表示部１３に表示する。
【００１８】
上記したナビゲーション装置１０の起動後に適時、ユーザーは現在位置の表示画像を所望の自動車の画像に変更することができる。以下にその変更手順とナビゲーション装置１０の動作について説明する。ユーザーが画像設定キー１７ａを押下することにより、表示部１３には図２に示すような現在位置の表示画像として選択可能な車種を一覧表にした車種設定表３０が表示される。ユーザーは操作部１７のカーソルキー（不図示）を操作し、車種設定表３０上で所望の車種を選択し、決定キー（不図示）を押下することで車種を設定する。例えば、図２のセダンを設定すると、更に車体色の一覧表（不図示）又は色パレット（不図示）が表示され、同様に操作部１７を操作することにより車体色を設定する。しかる後、所望の自動車の画像が現在位置の画像として表示される。
【００１９】
このように、ユーザー自身が表示画像の車種や車体色を設定することにより、ナビゲーション装置１０に個々のユーザーの独自性が付加されるため、ユーザーの満足度を高めることができる。
【００２０】
なお、上記の自動車の画像及び車種設定表３０は、記憶媒体から読み出して表示すればよく、地図情報や周辺情報と同一の記憶媒体に記憶されていてもよいし、また別の記憶媒体から読み出してもよい。
【００２１】
また、自動車の画像は車種の設定だけでなく、具体的な車名まで設定できるようにしてもよい。この場合、個々の自動車の画像が大量となるため大容量の記憶媒体が必要となる。
【００２２】
上記のようにして現在位置の画像として自動車の画像が表示されると、制御回路１１は自車のＥＣＵ２０等から現在の車の状態を自車情報として取り込み、表示画像にこの自車情報を反映させる。自車情報とは、方向指示器の情報、ヘッドライトやテールランプの情報、ストップランプの情報、バックランプの情報、車速の情報、パーキングブレーキの情報、コーナーセンサーの情報などである。
【００２３】
例えば、制御回路１１が方向指示器の情報を取り込んだ場合、方向指示器の動作に連動して自動車の画像の方向指示器部分を点滅させた画像を表示することができる。図３に、方向指示器を点滅させている自動車の画像４１を表示したナビゲーション装置の画面４０を示す。このとき自車の方向指示器は右折の操作を受けている。
【００２４】
また例えば、制御回路１１がヘッドライト又はテールランプの情報を取り込んだ場合、ヘッドライト又はテールランプの点灯に連動して自動車の画像のヘッドライト及びテールランプ部分を点灯させた画像を表示することができる。これにより、ユーザーが昼間のヘッドライトの消し忘れに気付くという効果もある。
【００２５】
また例えば、制御回路１１がストップランプの情報を取り込んだ場合、ストップランプの点灯に連動して自動車の画像のストップランプ部分を点灯させた画像を表示する。
【００２６】
また例えば、制御回路１１がバックランプの情報を取り込んだ場合、バックランプの点灯に連動して自動車の画像のバックランプ部分を点灯させた画像を表示することができる。
【００２７】
また例えば、制御回路１１が車速の情報を取り込んだ場合、車速に応じて走行中を表わす自動車の画像を表示する。なお、車速の情報は自車のスピードメータやＧＰＳ測位部１５から取り込むことができる。図４に、走行中を表わす自動車の画像５１を表示したナビゲーション装置の画面５０を示す。なお、車速が速くなるに従って表示画像も速さを強調するような画像に変化させてもよい。
【００２８】
また例えば、制御回路１１がパーキングブレーキの情報を取り込んだ場合、パーキングブレーキの動作に連動して休憩中を表わす自動車の画像を表示する。図５に、休憩中を表わす自動車の画像６１を表示したナビゲーション装置の画面６０を示す。「ｚｚｚ・・・」の表示が休憩中であることを表わしている。
【００２９】
また例えば、制御回路１１がコーナーセンサーの情報を取り込んだ場合、コーナーセンサーの検知に連動して自動車の画像の検知付近に障害物の画像や文字を表示する。「！」の画像を表示したり、「危険」等の文字を表示すればよい。
【００３０】
通常、ナビゲーション装置１０はダッシュボードの中央付近の視認しやすい場所に設置されるので、ハンドルの影になって見にくくなるメータ類と違い、ナビゲーション装置１０に自車情報を表示することにより、確実に視認することができる。また見た目にも楽しい。
【００３１】
また、ストップランプやテールランプ等の球が切れた場合には、切れた球に対応する画像部分も点灯させないようにしてもよい。これにより、球切れを早期に発見することができる。
【００３２】
なお、本発明のナビゲーション装置１０にネットワークに接続できる通信手段を設け、地図情報や周辺情報を配信するサーバ装置をネットワーク上に設置してネットワークシステムを構築すると、ナビゲーション装置１０は必要な情報をサーバ装置からダウンロードして利用することができ、地図情報や周辺情報を記憶した記憶媒体が不要となる。更に、自動車の画像も配信することにより、新型車でもすぐに取り込むことができる。またＨＤＤ（Hard Disk Drive）を設け、記憶媒体から読み取った地図情報や周辺情報をＨＤＤに保存して用いると表示速度が速くなる。
【産業上の利用可能性】
【００３３】
本発明のナビゲーション装置は、車載用として用いることができる。
【図面の簡単な説明】
【００３４】
【図１】ナビゲーション装置の要部の構成を示すブロック図である。
【図２】現在位置の表示画像の種類を一覧表にした車種設定表を示す図である。
【図３】方向指示器を点滅させている自動車の画像を表示したナビゲーション装置の画面を示す図である。
【図４】走行中を表わす自動車の画像を表示したナビゲーション装置の画面を示す図である。
【図５】休憩中を表わす自動車の画像を表示したナビゲーション装置の画面を示す図である。
【符号の説明】
【００３５】
１０    ナビゲーション装置
１１    制御回路
１２    ＲＯＭ
１３    表示部
１４    ＲＡＭ
１５    ＧＰＳ測位部
１６    記憶媒体再生装置
１７    操作部
１７ａ    画像設定キー
２０    ＥＣＵ
３０    車種設定表
４０、５０、６０    画面
４１、５１、６１    自動車の画像
【図１】
2005283251.tif 000003
【図２】
2005283251.tif 000004
【図３】
2005283251.tif 000005
【図４】
2005283251.tif 000006
【図５】
2005283251.tif 000007